(57)【要約】【課題】撮影時の解像度が低解像度であっても、その解像度の設定変更を行うことなく、はがきサイズ等の所定サイズでの印刷時に高精細な画質を得ることを可能にする。【解決手段】携帯端末装置１０を、被写体の撮影を行うカメラ１５と、カメラ１５での撮影画像が保存される記憶部２０と、カメラ１５の撮影画像を予め設定された第１解像度としての低解像度と、当該低解像度よりも高解像度の第２解像度としての高解像度との双方で記憶部２０に保存する制御を行う撮影保存制御部２５とを備えて構成した。【選択図】図１
2013120995.tif 000002
【特許請求の範囲】
【請求項１】
被写体を撮影するカメラと、
前記カメラでの撮影画像が保存される記憶部と、
前記カメラの撮影画像を、所定の第１解像度と当該第１解像度よりも高解像度の第２解像度との双方で前記記憶部に保存する制御を行う制御部と、
を備えることを特徴とする携帯端末装置。
【請求項２】
前記制御部は、前記第２解像度の撮影画像を保存する場合、当該撮影画像に人物が写り且つ画像に焦点の合わないブレが生じていない条件を満たす場合に保存し、前記条件を満たさない場合は保存しない制御を行うことを特徴とする請求項１記載の携帯端末装置。
【請求項３】
前記制御部は、前記記憶部の撮影画像の保存残量が所定値未満の場合に前記第１解像度での撮影画像のみを保存する制御を行うことを特徴とする携帯端末装置。
【請求項４】
前記制御部は、前記記憶部における前記撮影画像の保存残量が所定値以下となった際に、当該記憶部に保存された所定の画像を所定の宛先メールアドレスへメールで転送し、この転送画像を当該記憶部から削除する制御を行うことを特徴とする請求項１〜３の何れか１つに記載の携帯端末装置。
【請求項５】
前記制御部は、前記撮影画像が前記記憶部以外の外付けメモリにも記憶されている場合、当該記憶部及び外付けメモリを合わせた当該撮影画像の保存残量が所定値以下となった際に、当該記憶部及び外付けメモリに保存された所定の画像を前記メールで転送して前記削除する制御を行うことを特徴とする請求項４記載の携帯端末装置。
【請求項６】
前記所定の画像は、前記記憶部に保存された一番古い画像であることを特徴とする請求項４又は５記載の携帯端末装置。
【請求項７】
予め設定された第１解像度で被写体の撮影を行うカメラが、当該第１解像度での撮影時に当該第１解像度よりも高解像度の第２解像度でも撮影を行うステップと、
前記第１解像度及び前記第２解像度の双方の撮影画像を記憶部に保存するステップと、
を有することを特徴とする携帯端末装置の撮影画像保存方法。
【請求項８】
予め設定された第１解像度で被写体の撮影を行うカメラが、当該第１解像度での撮影時に当該第１解像度よりも高解像度の第２解像度でも撮影を行うステップと、
前記第１解像度及び前記第２解像度の双方の撮影画像を記憶部に保存するステップと、
をコンピュータに実行させることを特徴とする携帯端末装置の撮影画像保存プログラム。
【発明の詳細な説明】
【技術分野】
【０００１】
本発明は、搭載カメラでの撮影画像をはがき等の所定サイズで印刷する際に画質の良好な印刷画像とする、携帯端末装置、携帯端末装置の撮影画像保存方法及び携帯端末装置の撮影画像保存プログラムに関する。
【背景技術】
【０００２】
従来、カメラ撮影機能を有する携帯電話機等の携帯端末装置においては、撮影時の解像度が予め所定の解像度に設定されている。例えば３２０×２４０ピクセルの解像度であるＱＶＧＡ(Quarter Video Graphics Array)サイズに設定されている。このサイズで撮影された画像は、携帯端末装置内のメモリ部に保存（記憶）されるようになっている。
【０００３】
この撮影画像を保存する技術として、特許文献１に記載の技術がある。この技術は、デジタル機器によって取得された画像を保存するよう指定された第一のメモリ部分と、指定された集合のデジタル画像を保存するための第二のメモリ部分を有する。第二のメモリ部分には保護モードがあり、このモードでは、デジタル表示記憶機器の使用者が保護モードを無効にしないかぎり、第二のメモリ部分の中のデジタル画像が削除または上書きされないよう保護される。第二の部分の保護モードが無効にされると、機器は第二のメモリ部分のデジタル画像の上に、新たに撮影されたデジタル画像を上書きするようになっている。
【先行技術文献】
【特許文献】
【０００４】
【特許文献１】特開２００８−５１５２８０号公報
【発明の概要】
【発明が解決しようとする課題】
【０００５】
ところで、ＱＶＧＡサイズの設定で撮影を行い保存した画像を、プリンタによって、はがきサイズ等の所定サイズで印刷する場合、撮影時の解像度が低いため、はがきに印刷された画像の画質が粗くなる（低精細となる）といった問題が発生する。これを解消するためには、撮影時の解像度の設定をＱＶＧＡよりも高解像度の例えば３Ｍピクセルのサイズに設定変更して撮影すればよいが、その設定変更の操作が容易でないため変更操作が煩わしいという問題が発生する。
【０００６】
また、特許文献１に開示された技術では、デジタル機器によって取得された画像を第一と第二のメモリ部分の双方に保存することが可能である。しかし、双方の保存画像の解像度には触れられておらず、双方とも同解像度の画像であると推定されるので、この場合、上記と同様の問題が発生する。
【０００７】
本発明は上記した課題を解決するためになされたものであり、撮影時の解像度が低解像度であっても、その解像度の設定変更を行うことなく、はがきサイズ等の所定サイズでの印刷時に高精細な画質を得ることができる、携帯端末装置、携帯端末装置の撮影画像保存方法及び携帯端末装置の撮影画像保存プログラムを提供することを目的とする。
【課題を解決するための手段】
【０００８】
上記した課題を解決するために本発明は、被写体を撮影するカメラと、前記カメラでの撮影画像が保存される記憶部と、前記カメラの撮影画像を、第１解像度と当該第１解像度よりも高解像度の第２解像度との双方で前記記憶部に保存する制御を行う制御部と、を備
えることを特徴とする。
【０００９】
本発明において、前記制御部は、前記第２解像度の撮影画像を保存する場合、当該撮影画像に人物が写り且つ画像に焦点の合わないブレが生じていない条件を満たす場合に保存し、前記条件を満たさない場合は保存しない制御を行うことを特徴とする。
【００１０】
本発明において、前記制御部は、前記記憶部の撮影画像の保存残量が所定値未満の場合に前記第１解像度での撮影画像のみを保存する制御を行うことを特徴とする。
【００１１】
本発明において、前記制御部は、前記記憶部における前記撮影画像の保存残量が所定値以下となった際に、当該記憶部に保存された所定の画像を所定の宛先メールアドレスへメールで転送し、この転送画像を当該記憶部から削除する制御を行うことを特徴とする。
【００１２】
本発明において、前記制御部は、前記撮影画像が前記記憶部以外の外付けメモリにも記憶されている場合、当該記憶部及び外付けメモリを合わせた当該撮影画像の保存残量が所定値以下となった際に、当該記憶部及び外付けメモリに保存された所定の画像を前記メールで転送して前記削除する制御を行うことを特徴とする。
【００１３】
本発明において、前記所定の画像は、前記記憶部に保存された一番古い画像であることを特徴とする。
【００１４】
また、本発明は、予め設定された第１解像度で被写体の撮影を行うカメラが、当該第１解像度での撮影時に当該第１解像度よりも高解像度の第２解像度でも撮影を行うステップと、前記第１解像度及び前記第２解像度の双方の撮影画像を記憶部に保存するステップと、を有することを特徴とする。
【００１５】
また、本発明は、予め設定された第１解像度で被写体の撮影を行うカメラが、当該第１解像度での撮影時に当該第１解像度よりも高解像度の第２解像度でも撮影を行うステップと、前記第１解像度及び前記第２解像度の双方の撮影画像を記憶部に保存するステップと、をコンピュータに実行させることを特徴とする。
【発明の効果】
【００１６】
本発明によれば、撮影時の解像度が低解像度であっても、その解像度の設定変更を行うことなく、はがきサイズ等の所定サイズでの印刷時に高精細な画質を得ることができる携帯端末装置、携帯端末装置の撮影画像保存方法及び携帯端末装置の撮影画像保存プログラムを提供することができる。
【図面の簡単な説明】
【００１７】
【図１】第１実施形態に係る携帯端末装置の構成を示すブロック図である。
【図２】第１実施形態に係る携帯端末装置の撮影画像保存動作を説明するためのフローチャートである。
【図３】本実施形態に係る携帯端末装置の撮影画像のメール転送及び削除の動作を説明するためのフローチャートである。
【図４】第２施形態に係る携帯端末装置の撮影画像保存動作を説明するためのフローチャートである。
【図５】第３実施形態に係る携帯端末装置の撮影画像保存動作を説明するためのフローチャートである。
【発明を実施するための形態】
【００１８】
以下、添付図面を参照して本発明を実施するための実施の形態（以下、単に本実施形態
という）について詳細に説明する。但し、本明細書の全図において同一部分には同一符号を付し、その説明を適時省略する。
（第１実施形態の構成）
図１は、第１実施形態に係る携帯端末装置１０の構成を示すブロック図である。第１実施形態に係る携帯端末装置１０は、外部に、文字や画像等を表示するディスプレイ１１と、この下方に０〜９，♯，＊等のキー操作部１２と、マイク１３と、発光部１４と、カメラ１５とを備え、内部に、スピーカ１６と、信号処理部１７と、アンテナ１８ａが接続された無線部１８と、振動部１９と、記憶部２０と、制御部２１と、充電用の電池２２ａが内蔵される電源部２２と、更に、制御部２１に設けられた撮影保存制御部（制御部）２５とを備えて構成されている。なお、撮影保存制御部２５は、制御部２１の外部に設けても良い。
【００１９】
ディスプレイ１１は、カラー表示を行うバックライト方式の液晶ディスプレイであり、液晶パネルと当該液晶パネルに光を照射するためにバックライトを備える。このディスプレイ１１は制御部２１から入力された制御信号に基づき文字、図形、記号、画像などの各種情報を表示する。また、ディスプレイ１１は、液晶ディスプレイ以外に限らず、例えば、有機ＥＬディスプレイや、複数のＬＥＤ(Light Emitting Diode)がマトリックス上に配列されたディスプレイであってもよい。この他、ディスプレイ１１は、図示せぬタッチパネル入力手段を備え、このタッチパネル入力手段におけるユーザの画面操作に応じた入力信号を制御部２１へ出力するようにしてもよい。
【００２０】
キー操作部１２は、ユーザの入力操作に応じた入力信号を制御部２１へ出力する。その入力操作は、例えば、着信や発信時の入力、音量の調整入力、ディスプレイ１１の輝度調整の入力、電源オン／オフの切替入力、ディスプレイ１１の表示画面の切替入力、更には、アラーム報知時刻に所望のスケジュール内容を対応付けたアラーム設定情報の入力等である。
【００２１】
スピーカ１６は、制御部２１の音声出力処理に応じて信号処理部１７から出力されるアナログ信号に基づき外部に音を出力する。制御部２１から信号処理部１７へはデジタル信号入力であるが、このデジタル信号が信号処理部１７でアナログ信号にデジタル／アナログ変換され、アナログ信号としてスピーカ１６へ出力されるようになっている。
【００２２】
マイク１３は、外部からの音声をアナログ信号に変換して信号処理部２１０を介して制御部２１へ出力する。そのアナログ信号は、信号処理部１７でアナログ／デジタル変換され、このデジタル信号が制御部２１へ出力されるようになっている。
【００２３】
発光部１４は、ＬＥＤなどの発光素子により構成されており、制御部２１から出力された制御信号によって外部へ光を照射する。この発光部１４は、電話の着信、メールの受信、アラーム日時到来などを、外部へ光を照射することにより報知する。
【００２４】
カメラ１５は、ＣＣＤ(Charge Coupled Device)カメラ等のカメラであって、キー操作
部１２からの入力操作に応じて動画や静止画を撮影する。この撮影された動画や静止画は、制御部２１の撮影保存制御部２５を介して記憶部２０に記憶される。但し、撮影時の解像度として、初期時にはＱＶＧＡの低解像度が設定されている。この他、６４０×４８０ピクセルの中解像度、１６００×１２００ピクセルのＵＸＧＡ(Ultra eXtendedGraphics Array)である高解像度が、設定変更操作等に応じて設定可能となっている。
【００２５】
無線部１８は、アンテナ１８ａの電波の送受信動作に応じて他携帯端末装置や基地局と無線通信を行う。この際、無線部１８は、アンテナ１８ａで受信される所定の高周波信号に対して復調及び復号処理を行いデジタル音声信号へと変換する。また、制御部２１から
入力されたデジタル音声信号に符号化及び変調処理を行い高周波信号に変換してアンテナ１８ａから送信する。また、無線部１８は、他の携帯端末装置等とアンテナ１８ａを介してメールの送受信処理を行う。
【００２６】
振動部１９は、図示せぬモータを備えて構成され、制御部２１から出力された制御信号によって機械的振動を発生する。例えば、電話の着信、メールの受信、アラーム日時到来などを機械的振動によって報知する。
【００２７】
記憶部２０は、携帯端末装置１０の各種機能を制御するプログラムや、発着信対象となる複数のユーザ（特定ユーザともいう）の電話番号及びメールアドレスを記憶する。
【００２８】
制御部２１は、ＣＰＵ(Central Processing Unit)及びＤＳＰ(Digital Signal Processor)などで構成され、携帯端末装置１０に備えられた各構成要素を制御することにより携
帯端末装置１０を統括的に管理して、各種機能を実行する。例えば、制御部２１は、カメラ１５での撮影時の解像度を初期時のＱＶＧＡの低解像度に設定したり、キー操作部１２の入力操作に基づき、携帯端末装置１０に備えられたメール機能、電話機能、アラーム報知機能などを実行したり、記憶部２０に入力情報を記憶したり、記憶部２０に記憶されたプログラムを実行したりする。
【００２９】
電源部２２は、リチウムイオン電池などの充放電可能な電池によって構成され、携帯端末装置１０に電力を供給する。
【００３０】
撮影保存制御部２５は、カメラ１５での撮影時の解像度が初期時のＱＶＧＡの低解像度に設定されている際に、カメラ撮影を行うと、自動的に高解像度でも撮影を行い、初期設定の低解像度での撮影画像を記憶部２０に保存（記憶）すると同時に、裏で高解像度での撮影画像も保存する制御を行う。なお、裏で保存するとの表現は次の理由による。即ち、初期時に設定されている低解像度での撮影画像の保存が通常行われるのに対し、高解像度での撮影及びこの撮影画像の保存は、低解像度の通常処理と平行して自動的に行われるため、本実施形態では通常処理を表ととらえ、高解像度での撮影及び保存を裏ととらえて表現している。
【００３１】
なお、上記のカメラ撮影を行った際に、高解像度に代え、自動的に中解像度で撮影を行い、低解像度の撮影画像を保存すると同時に裏で中解像度の撮影画像を保存するようにしてもよい。
【００３２】
また、撮影保存制御部２５は、カメラ１５の起動後、記憶部２０の撮影画像保存領域における撮影画像保存後の保存残量（撮影画像の保存残量）が、所定値以下となった場合、裏で保存した一番古い画像を所定の宛先メールアドレスへメールで転送し、この転送画像を削除する制御を行う。なお、メールアドレスは、撮影保存制御部２５に予め設定される。また、撮影画像の保存容量は、カメラ１５の記憶部２０の記憶容量と、図示せぬＳＤカード等の外付けメモリがカメラ１５に装着されていればその外付けメモリの記憶容量とを合計した全記憶容量に対して定められる。
【００３３】
また、上記では、一番古い画像をメール転送するとしたが、これ以外にユーザが定める所定の画像をメール転送するようにしてもよい。この場合、メール転送前に保存画像をディスプレイ１１に表示してユーザに選択させ、この選択画像をメール転送する。又は、人物が写っていない画像を優先的に古い順番でメール転送する等、所定の法則に従ってメール転送するようにしてもよい。
（第１実施形態の動作）
以下、図１に示す第１実施形態に係る携帯端末装置１０の撮影画像の保存動作を、図２
のフローチャートを参照して詳細に説明する。
【００３４】
まず、カメラ１５が起動されると（ステップＳ１）、制御部２１でカメラ１５での撮影時の解像度が初期時のＱＶＧＡの低解像度に設定される（ステップＳ２）。この後、ユーザのキー操作部１２の所定操作に応じて上記設定済みの低解像度でのカメラ撮影が行われると、これと同時に撮影保存制御部２５の制御によって高解像度でもカメラ撮影が行われる（ステップＳ３）。
【００３５】
このカメラ撮影後、撮影保存制御部２５の制御により、撮影画像が低解像度で記憶部２０に保存され、これと同時に裏で高解像度でも保存される。これら保存動作は、カメラ撮影後に、撮影保存制御部２５が、撮影画像を保存するか否かを判断するポップアップをディスプレイ１１に表示し、これを確認したユーザが所定のキー操作で保存の可否を決定するようにしてもよい。
【００３６】
また、図３のフローチャートにおいて、ステップＳ１でのカメラ１５の起動後、撮影保存制御部２５により、記憶部２０における撮影画像の保存残量が、所定値以下となったか否かが判断される（ステップＳ１１）。この判断結果、保存残量が所定値以下の場合、図２のステップＳ４において裏で保存された一番古い画像が、無線部１８及びアンテナ１８ａを介して所定の宛先メールアドレスへメールで転送され（ステップＳ１２）、この転送画像が削除される（ステップＳ１３）。この削除後は、ステップＳ１１に戻って再度処理が行われる。
【００３７】
一方、ステップＳ１１で保存残量が所定値以下では無いと判断された場合、ステップＳ１４において、カメラ撮影及び保存の動作が行われる。この動作は、図２のステップＳ３，Ｓ４の処理動作と同じである。
（第１実施形態の効果）
以上説明のように第１実施形態に係る携帯端末装置１０は、被写体の撮影を行うカメラ１５と、カメラ１５での撮影画像が保存される記憶部２０と、カメラ１５の撮影画像を予め設定された第１解像度としての低解像度と、当該低解像度よりも高解像度の第２解像度としての高解像度との双方で記憶部２０に保存する制御を行う撮影保存制御部２５とを備えて構成したことを特徴としている。
【００３８】
この構成によれば、カメラ１５の解像度がＱＶＧＡの低解像度に設定されている際に、カメラ１５で被写体の撮影を行うと、この撮影画像が、撮影保存制御部２５の制御によって低解像度及び高解像度で記憶部２０に保存される。
【００３９】
従って、その保存された撮影画像をプリンタによって、はがきサイズ等の所定サイズで印刷する場合、高解像度の撮影画像を用いれば、高精細な画質で印刷を行うことができる。また、撮影前に低解像度から高解像度に変更するといった解像度の設定変更を行う必要がないので、従来生じていた変更操作の煩わしさも発生することがない。
【００４０】
また、撮影保存制御部２５は、記憶部２０における撮影画像の保存残量が所定値以下となった際に、当該記憶部２０に保存された所定の画像を所定の宛先メールアドレスへメールで転送し、この転送画像を記憶部２０から削除する制御を行うようにした。
【００４１】
この構成によれば、記憶部２０の撮影画像の保存残量が、新たな撮影画像を保存できない容量となった場合でも、記憶部２０に保存された所定の画像をメール転送した後、削除するので、記憶容量を増加させることができる。これによって新たな撮影画像を保存することができる。また、削除する前にパソコン等の他の端末装置へ画像を転送するので、削除対象の画像を保護することが可能となる。
【００４２】
また、撮影保存制御部２５が、撮影画像が記憶部２０以外の外付けメモリにも記憶されている場合、当該記憶部２０及び外付けメモリを合わせた当該撮影画像の保存残量が所定値以下となった際に、記憶部２０及び外付けメモリに保存された所定の画像をメールで転送して削除する制御を行うようにした。
【００４３】
この構成によれば、撮影画像が携帯端末装置１０に装着された外付けメモリに保存されている場合でも、記憶部２０と合わせて撮影画像の保存残量を確認し、この残量が所定値以下であれば、所定の画像をメール転送して削除することができる。従って、上記同様に、記憶容量を増加させることができ、また、削除対象の画像を転送して保護することが可能となる。
【００４４】
また、上記の記憶部２０に保存された所定の画像が、記憶部２０に保存された一番古い画像であることとした。この場合、一番古い画像からメール転送されて削除されるので、ユーザが携帯端末装置で全く見なくなった又は殆ど見ない画像が削除されることになる。このため、ユーザの使用状況に合った適正な削除を行うことができる。
【００４５】
これらの効果を奏する携帯端末装置の構成は、次の撮影画像保存方法としても実現可能である。即ち、予め設定された低解像度で被写体の撮影を行うカメラ１５が、低解像度での撮影時に高解像度でも撮影を行うステップと、低解像度及び高解像度の双方の撮影画像を記憶部２０に保存する制御を行うステップとを実行する方法が実現可能である。
【００４６】
この携帯端末装置の撮影画像保存方法は、この方法を機能させるためのプログラムでも実現される。このプログラムはコンピュータで読み取り可能な記録媒体に格納されている。
（第２実施形態の構成）
次に、第２実施形態に係る携帯端末装置を、図１に示した携帯端末装置１０を参照して説明する。第２実施形態の携帯端末装置１０が第１実施形態のものと異なる点は、撮影保存制御部２５の制御にある。
【００４７】
即ち、撮影保存制御部２５は、第１実施形態と同様に解像度が初期時のＱＶＧＡの低解像度に設定されているカメラ１５で撮影を行った際に、自動的に高解像度でも撮影を行い、低解像度での撮影画像を記憶部２０に保存する。この後、高解像度の撮影画像に人物が写り且つ画像にブレが生じていない条件を満たす場合に、裏で高解像度の撮影画像を保存し、その条件を満たさない場合は保存しない制御を行う。但し、ブレとは、手ぶれ、被写体ぶれにより、写った被写体（画像）の焦点（ピント）が合っていないピンボケの状態をいう。
【００４８】
また、撮影保存制御部２５は、第１実施形態と同様に、記憶部２０の撮影画像の保存残量が所定値以下となった場合、裏で保存した一番古い画像をメール転送して削除する制御を行う。
（第２実施形態の動作）
以下、第２実施形態に係る携帯端末装置１０の撮影画像の保存動作を、図４のフローチャートを参照して詳細に説明する。但し、図４のステップＳ１〜Ｓ３は図２と同様な処理動作なので説明を省略する。
【００４９】
ステップＳ３の低解像度及び高解像度でのカメラ撮影後、撮影保存制御部２５の制御により、撮影画像が低解像度で記憶部２０に保存される（ステップＳ２１）。この後、撮影保存制御部２５により、高解像度の撮影画像に人物が写り且つ画像にブレが生じていないといった条件を満たすか否かが判断される（ステップＳ２２）。
【００５０】
この結果、その条件を満たす場合、撮影保存制御部２５の制御により高解像度の撮影画像が裏で保存される（ステップＳ２３）。一方、条件を満たさない場合、高解像度の撮影画像は保存されない。
（第２実施形態の効果）
以上説明のように第２実施形態に係る携帯端末装置１０は、撮影保存制御部２５が、高解像度の撮影画像を保存する場合、当該撮影画像に人物が写り且つ画像にブレが生じていない条件を満たす場合に保存し、その条件を満たさない場合は保存しない制御を行う構成としたことを特徴としている。
【００５１】
この構成によれば、撮影画像に人物が写り且つ画像にブレが生じていない場合にのみ、高解像度の撮影画像が保存されるので、無駄な高解像度の撮影画像を保存して、記憶部２０の保存容量を無駄に使用するといったことを無くすことができる。
（第３実施形態の構成）
次に、第３実施形態に係る携帯端末装置を、図１に示した携帯端末装置１０を参照して説明する。第３実施形態の携帯端末装置１０が第１実施形態のものと異なる点は、撮影保存制御部２５の制御にある。
【００５２】
即ち、撮影保存制御部２５は、第１実施形態と同様に解像度が初期時のＱＶＧＡの低解像度に設定されているカメラ１５で撮影を行った際に、自動的に高解像度及び中解像度でも撮影を行い、低解像度での撮影画像を記憶部２０に保存する。この後、記憶部２０に撮影画像を高解像度で保存可能な保存残量が有れば、裏で高解像度の撮影画像を保存する。また、高解像度で保存可能な保存残量が無く、中解像度で保存可能な保存残量が有れば、裏で中解像度の撮影画像を保存する。中解像度で保存可能な保存残量も無ければ保存処理を終了する。なお、中解像度で保存可能な保存残量も無い場合に、低解像度で保存可能な保存残量が残っている場合でも保存処理を終了する。
【００５３】
この他、撮影保存制御部２５が、撮影画像保存残量が高解像度撮影画像が十分に保存可能な例えば７０％以上の場合に、高解像度の撮影画像を保存し、中解像度撮影画像が十分に保存可能な例えば７０％未満４０％以上の場合に中解像度の撮影画像を保存し、４０％未満の場合に保存処理を終了するといった制御を行うようにしてもよい。
【００５４】
また、撮影保存制御部２５は、第１実施形態と同様に、記憶部２０の撮影画像の保存残量が所定値以下となった場合、裏で保存した一番古い画像をメール転送して削除する制御を行う。
（第３実施形態の動作）
以下、第３実施形態に係る携帯端末装置１０の撮影画像の保存動作を、図５のフローチャートを参照して詳細に説明する。但し、図５のステップＳ１，Ｓ２は図２と同様な処理動作なので説明を省略する。
【００５５】
ステップＳ２の撮影時の解像度が低解像度に設定された後、撮影保存制御部２５の制御により、低解像度でカメラ撮影が行われた際に、自動的に高解像度及び中解像度でもカメラ撮影が行われる（ステップＳ３０）。そして、撮影保存制御部２５の制御により、撮影画像が低解像度で記憶部２０に保存される（ステップＳ３１）。この後、撮影保存制御部２５により、記憶部２０に撮影画像を高解像度又は中解像度で保存可能な保存残量が有るか否かが判断される（ステップＳ３２）。この結果、撮影画像を高解像度で保存可能な保存残量が有ると判断された場合、裏で高解像度の撮影画像が保存される（ステップＳ３３）。
【００５６】
一方、ステップＳ３２において、高解像度で保存可能な保存残量が無く、中解像度で保
存可能な保存残量が有ると判断された場合、裏で中解像度の撮影画像が保存される（ステップＳ３４）。更に、ステップＳ３２において、中解像度で保存可能な保存残量も無いと判断された場合、保存処理が終了される（ステップＳ３５）。
（第３実施形態の効果）
以上説明のように第２実施形態に係る携帯端末装置１０は、撮影保存制御部２５が、記憶部２０の撮影画像の保存残量が所定値未満の場合に低解像度での撮影画像のみを保存する制御を行うようにした。
【００５７】
この構成によれば、記憶部２０の撮影画像の保存残量が所定値以上ある場合は、低解像度と共に、高解像度又は中解像度の撮影画像を保存することができるので、記憶領域を効率的に使用して高又は中解像度の撮影画像の保存を行うことができる。保存残量が所定値未満の場合は、低解像度の撮影画像のみを保存するので、撮影画像を削除することなく効率良く記憶部２０に記憶することができる。
【００５８】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００５９】
１０・・携帯端末装置、１１‥ディスプレイ、１２‥キー操作部、１３‥マイク、１４‥発光部、１５‥カメラ、１６‥スピーカ、１７‥信号処理部、１８ａ‥アンテナ、１８‥無線部、１９‥振動部、２０‥記憶部、２１‥制御部、２２ａ‥電池、２２‥電源部、２５‥撮影保存制御部。
【図１】
2013120995.tif 000003
【図２】
2013120995.tif 000004
【図３】
2013120995.tif 000005
【図４】
2013120995.tif 000006
【図５】
2013120995.tif 000007